(57)【要約】【課題】ＤＶＤに記録すべき記録情報について、著作権法上の保護を確実化しつつ配信することができると共に、再生処理における汎用性を向上させることも可能な情報配信装置等を提供する。【解決手段】暗号化記録情報を記録可能なＤＶＤ−ＲＷ４０に予め記録される暗号化キーＫと同一の暗号化キーＫを用いてＤＶＤ−ＲＷ４０に記録すべき記録情報を暗号化し、暗号化記録情報を生成する暗号化器２、生成された暗号化記録情報のみを、暗号化キーＫが予め記録されたＤＶＤ−ＲＷ４０に対して当該暗号化記録情報を記録する情報記録装置に対して外部ネットワーク５を介して配信するモデム４と、を備える。【選択図】図１
2007235955.tif 000002
【特許請求の範囲】
【請求項１】
暗号化記録情報を記録可能な情報記録媒体に予め記録される暗号化情報と同一の暗号化情報を生成する暗号化情報生成手段と、
前記生成された暗号化情報を用いて前記情報記録媒体に記録すべき記録情報を暗号化し、前記暗号化記録情報を生成する暗号化手段と、
前記生成された暗号化記録情報のみを、前記暗号化情報が予め記録された前記情報記録媒体に対して当該暗号化記録情報を記録する情報記録装置に対して電気通信回線を介して配信する配信手段と、
を備えることを特徴とする情報配信装置。
【請求項２】
請求項１に記載の情報配信装置において、
前記暗号化情報は、全ての前記情報記録媒体について共通であるか、或いは当該情報記録媒体の製造者又は販売者の少なくともいずれか一方について共通であるか、の少なくともいずれか一方とされていることを特徴とする情報配信装置。
【請求項３】
請求項１又は２に記載の情報配信装置において、
前記情報記録媒体は、前記暗号化記録情報が記録可能なＤＶＤ（Digital Versatile Disc）であることを特徴とする情報配信装置。
【請求項４】
請求項１から３のいずれか一項に記載の情報配信装置において、
前記電気通信回線は、インターネット回線、ケーブルテレビジョン回線、衛星放送回線又は地上波ディジタル回線のいずれか一つであることを特徴とする情報配信装置。
【請求項５】
請求項１から４のいずれか一項に記載の情報配信装置から配信された前記暗号化情報が記録される前記情報記録媒体であって、
前記暗号化情報が予め記録されていることを特徴とする情報記録媒体。
【請求項６】
請求項５に記載の情報記録媒体において、
当該情報記録媒体は、前記暗号化記録情報が記録可能なＤＶＤであることを特徴とする情報記録媒体。
【請求項７】
請求項１から４のいずれか一項に記載の情報配信装置から配信された前記暗号化記録情報を、請求項５又は６に記載の情報記録媒体に記録する情報記録装置であって、
前記暗号化記録情報を前記電気通信回線から取得する取得手段と、
前記取得した暗号化記録情報を前記情報記録媒体に記録する記録手段と、
を備えることを特徴とする情報記録装置。
【請求項８】
暗号化記録情報を記録可能な情報記録媒体に予め記録される暗号化情報と同一の暗号化情報を生成する暗号化情報生成工程と、
前記生成された暗号化情報を用いて前記情報記録媒体に記録すべき記録情報を暗号化し、前記暗号化記録情報を生成する暗号化工程と、
前記生成された暗号化記録情報のみを、前記暗号化情報が予め記録された前記情報記録媒体に対して当該暗号化記録情報を記録する情報記録装置に対して電気通信回線を介して配信する配信工程と、
を含むことを特徴とする情報配信方法。
【発明の詳細な説明】
【技術分野】
【０００１】
本発明は、情報配信装置、情報配信方法並びに情報記録媒体及び情報記録装置の技術分野に属し、より詳細には、暗号化された記録情報を配信する情報配信装置及び情報配信方法並びに当該配信された記録情報を記録する情報記録媒体及び当該情報記録媒体に当該記録情報を記録するための情報記録装置の技術分野に属する。
【背景技術】
【０００２】
近年、従来のＣＤ（Compact Disc）に対して数倍記録容量を高めた光ディスクであるＤＶＤ（Digital Versatile Disc）に関する研究開発が盛んであるが、最近では、音楽又は映画等（以下、単に音楽等と称する。）を記録した再生専用のＤＶＤが既に一般化しつつあり、更には記録可能なＤＶＤについての規格化も推進されているところである。
【０００３】
ここで、当該ＤＶＤに記録される音楽等は、通常はいわゆる著作権法上の保護が施されているのが通常であり、著作権者に無断でこれらを複製することは一部の例外を除いて原則として禁止されている。
【０００４】
そして、上記ＤＶＤに記録される音楽等に対してこのような著作権法上の保護を与えるために、近年では種々の不法複製防止のための方法が講じられている。
【０００５】
このとき、上記記録可能なＤＶＤの規格の一つであるＤＶＤ−ＲＷ（DVD-Re-Recordable）規格と、再生専用のＤＶＤの規格の一つであるＤＶＤビデオ規格とを比較した場合、記録可能であるが故にＤＶＤ−ＲＷ規格における不法複製防止方法の方がより厳重な方法が用いられており、再生専用のＤＶＤビデオ規格との間では不法複製防止方法についての互換性は取られていなかった。
【０００６】
一方、最近のインターネットが発達した状況下では、当該インターネットを介して所望する音楽等を取得して手元の光ディスク等に複製することも行われ始めている。
【発明の開示】
【発明が解決しようとする課題】
【０００７】
しかしながら、上述したようにＤＶＤ−ＲＷ規格とＤＶＤビデオ規格とでは不法複製防止方法について互換性がなかったため、最近一般化しつつあるＤＶＤビデオ用の情報再生装置ではＤＶＤ−ＲＷ規格に基づいて音楽等が暗号化されて記録されているＤＶＤ−ＲＷから当該暗号化を解読して音楽等を再生することができないこととなり、汎用性に欠けるという問題点があった。
【０００８】
一方、上述したインターネットを介した音楽等の配信においては、当該インターネットが複数のコンピュータを介して構成されるネットワークを前提としたものであるため、何ら複製防止の処理をせずに配信してしまうと、本来当該音楽等の配信を受けるべき者以外の者が当該配信途中にある音楽等を簡単に取得できてしまうこととなり、結果として配信者の著作権が保護されないという問題点があった。
【０００９】
そこで、本発明は、上記の各問題点に鑑みて為されたもので、その課題は、音楽等のＤＶＤに記録すべき記録情報について、著作権法上の保護を確実化しつつ配信することができると共に、再生処理における汎用性を向上させることも可能な情報配信装置及び情報配信方法並びに当該配信された記録情報を記録する情報記録媒体及び当該情報記録媒体に当該記録情報を記録するための情報記録装置を提供することにある。
【課題を解決するための手段】
【００１０】
上記の課題を解決するために、請求項１に記載の発明は、暗号化記録情報を記録可能なＤＶＤ−ＲＷ等の情報記録媒体に予め記録される暗号化情報と同一の暗号化情報を生成する暗号化キー設定部等の暗号化情報生成手段と、前記生成された暗号化情報を用いて前記情報記録媒体に記録すべき記録情報を暗号化し、前記暗号化記録情報を生成する暗号化器等の暗号化手段と、前記生成された暗号化記録情報のみを、前記暗号化情報が予め記録された前記情報記録媒体に対して当該暗号化記録情報を記録する情報記録装置に対して電気通信回線を介して配信するモデム等の配信手段と、を備える。
【００１１】
上記の課題を解決するために、請求項５に記載の発明は、請求項１から４のいずれか一項に記載の情報配信装置から配信された前記暗号化情報が記録される前記情報記録媒体であって、前記暗号化情報が予め記録されている。
【００１２】
上記の課題を解決するために、請求項７に記載の発明は、請求項１から４のいずれか一項に記載の情報配信装置から配信された前記暗号化記録情報を、請求項５又は６に記載の情報記録媒体に記録する情報記録装置であって、前記暗号化記録情報を前記電気通信回線から取得するモデム等の取得手段と、前記取得した暗号化記録情報を前記情報記録媒体に記録するシステムコントローラ等の記録手段と、を備える。
【００１３】
上記の課題を解決するために、請求項８に記載の発明は、暗号化記録情報を記録可能なＤＶＤ−ＲＷ等の情報記録媒体に予め記録される暗号化情報と同一の暗号化情報を生成する暗号化情報生成工程と、前記生成された暗号化情報を用いて前記情報記録媒体に記録すべき記録情報を暗号化し、前記暗号化記録情報を生成する暗号化工程と、前記生成された暗号化記録情報のみを、前記暗号化情報が予め記録された前記情報記録媒体に対して当該暗号化記録情報を記録する情報記録装置に対して電気通信回線を介して配信する配信工程と、を含む。
【発明を実施するための最良の形態】
【００１４】
次に、本発明に好適な実施の形態について、図１乃至図３を用いて説明する。
【００１５】
なお、以下に説明する実施の形態は、インターネット等の外部ネットワークを介して情報記録媒体としてのＤＶＤ−ＲＷに記録すべき音楽等の記録情報を取得して記録する際の不法複写（不法複製）を防止する不法複写防止システムに対して本発明を適用した場合の実施の形態である。
【００１６】
また、図１は実施形態に係る不法複写防止システムを構成する情報配信装置の概要構成を示すブロック図であり、図２及び図３は実施形態に係る不法複写防止システムを構成する情報記録再生装置の概要構成を示すブロック図である。
【００１７】
先ず、実施形態に係る不法複写防止システムを構成する情報配信装置の構成及び動作について、図１を用いて説明する。
【００１８】
当該情報配信装置Ｐは、具体的にはいわゆるインターネットプロバイダ等に設置されるものであり、図１に示すように、データ生成器１と、暗号化手段としての暗号化器２と、暗号化情報生成手段としての暗号化キー設定部３と、配信手段としてのモデム４と、により構成されている。
【００１９】
なお、モデム４は、インターネット等の外部ネットワーク５との間で電話回線等を介して情報の授受が可能なように構成されている。
【００２０】
次に動作を説明する。
【００２１】
先ず、データ生成器１は、ＤＶＤ−ＲＷ４０に記録されるべき音楽等の情報である記録情報を生成しデータ信号Ｓdとして暗号化器２へ出力する。
【００２２】
一方、暗号化キー設定部３は、ＤＶＤ−ＲＷ４０に記録されるものと同一の暗号化キーＫであって当該ＤＶＤ−ＲＷ４０に記録される記録情報を暗号化するための暗号化キーＫを生成し、当該生成された暗号化キーＫをキー信号Ｓkとして暗号化器２へ出力する。
【００２３】
ここで、当該ＤＶＤ−ＲＷ４０は、複数回の情報記録（情報書換）が可能なＤＶＤであり、上記暗号化キーＫがその製造時において記録され、当該暗号化キーＫが記録されている状態で販売等の譲渡が為されるものである。
【００２４】
また、当該暗号化キーＫは実施形態に係るＤＶＤ−ＲＷ４０全てについて共通とされているものであるが、例えば、製造者毎或いは販売者毎に一定の規則性の元で異なるようにすることもできる。
【００２５】
更に、当該暗号化キーＫ自体のＤＶＤ−ＲＷ４０への記録方法としては、例えば、いわゆるＣＳＳ（Content Scramble System）等の、後述する実施形態に係る情報記録再生装置以外の再生装置では容易に検出できない記録方法が用いられる。
【００２６】
次に、暗号化キー設定部３から出力された上記キー信号Ｓkを用いて、暗号化器２は上記データ信号Ｓdに対してスクランブル処理等の予め設定された暗号化処理を施し、当該データ信号Ｓdを暗号化した暗号化データ信号Ｓsdを生成してモデム４へ出力する。
【００２７】
そして、モデム４は当該暗号化データ信号Ｓsdに対して予め設定された変調処理を施し、電話回線等を介して外部ネットワーク５に出力する。
【００２８】
これにより、後述する情報記録再生装置が当該外部ネットワーク５から暗号化データ信号Ｓsdを取得することが可能となる。
【００２９】
次に、実施形態に係る不法複写防止システムを構成する情報記録再生装置の構成及び動作について、図２及び図３を用いて説明する。
【００３０】
図２に示すように、当該情報記録再生装置Ｓは、スピンドルモータ１０と、ピックアップ１１と、反射全光量信号生成回路１２と、サーボ信号生成回路１３と、サーボ信号処理回路１４と、二値化部１５と、取得手段としてのモデム１６と、ＲＦデータデコーダ１８と、記録手段としてのシステムコントローラ１９と、データ入出力コントローラ２０と、データエンコーダ２１と、レーザドライバ２２と、により構成されている。
【００３１】
また、ピックアップ１１は、半導体レーザ、偏向ビームスプリッタ及び対物レンズ等を含む光学系１１ａと、装填されているＤＶＤ−ＲＷ４０からの反射光を受光する光検出器１１ｂと、を含んで構成されている。
【００３２】
更に、二値化部１５は、図３に示すように、ゲインコントロール回路３５と、ピークホールド回路３６と、ボトムホールド回路３７と、減算器３８と、二値化回路３９と、により構成されている。
【００３３】
次に、動作を説明する。
【００３４】
最初に、上述した暗号化キーＫが予め記録された状態で譲渡されたＤＶＤ−ＲＷ４０に対して記録情報を記録する場合の動作について説明する。
【００３５】
ここで、ＤＶＤ−ＲＷ４０に記録される記録情報としては、図示しない外部装置から入出力信号Ｓioとして入力される場合と、モデム１６を介して外部ネットワーク５から取得された上記記録情報（すなわち、図１に示す情報配信装置Ｐから外部ネットワーク５に出力された記録情報）がモデム信号Ｓmとして入力される場合とがある。
【００３６】
このとき、モデム信号Ｓmとして入力される記録情報については上述したように情報配信装置Ｐにおいて暗号化の処理が施されているが、外部装置から入出力信号Ｓioとして入力された記録情報については、暗号化されている場合と暗号化されていない場合とがある。
【００３７】
当該記録情報の記録時においては、先ず、スピンドルモータ１０は、サーボ信号処理回路１４からのスピンドル制御信号Ｓssに基づいて、ＤＶＤ−ＲＷ４０を予め設定されている回転数で回転させる。
【００３８】
そして、データ入出力コントローラ２０は、システムコントローラ１９との間で制御信号Ｓciの授受を行いつつ、入出力信号Ｓioとして入力された記録情報又はモデム信号Ｓmとして入力された記録情報のいずれか一方に対して予め設定されたインターフェース処理を施し、当該いずれか一方の内容を含む記録データＳrを生成してデータエンコーダ２１に出力する。
【００３９】
これにより、データエンコーダ２１は、システムコントローラ１９からの記録クロック信号Ｓclに基づいて、当該記録データＳrを必要な符号化方式により符号化する符号化処理並びにいわゆるライトストラテジ処理を当該記録データＳrに対して施し、符号化データＳenを生成してレーザドライバ２２へ出力する。
【００４０】
このとき、記録データＳrがモデム信号Ｓmとして入力された記録情報又は入出力信号Ｓioとして入力された記録情報であって暗号化されている記録情報を含む場合は、当該記録情報自体が既に暗号化されていることから上記符号化処理及びストラテジ処理のみが施されて符号化データＳenが生成されるが、記録データＳrが入出力信号Ｓioとして入力された記録情報であって暗号化されていない記録情報を含む場合は、上記符号化処理及びストラテジ処理に加えて、スクランブル処理等の予め設定された暗号化処理が施されて符号化データＳenが生成される。
【００４１】
これにより、レーザドライバ２２は、システムコントローラ１９からの記録クロック信号Ｓclに基づいて、符号化データＳenに対応してピックアップ１１内の光学系１１ｂに備えられた図示しない上記半導体レーザを駆動するための駆動信号Ｓldを生成して当該半導体レーザに出力する。
【００４２】
そして、当該半導体レーザにより記録すべき上記記録情報に対応した強度変化を有する記録用の光ビームＢがＤＶＤ−ＲＷ４０の記録領域内の情報トラック上に照射され、これにより当該記録情報に対応した例えば相変化ピットが情報トラック上に形成されて記録情報が記録される。
【００４３】
このとき、当該光ビームＢのＤＶＤ−ＲＷ４０からの反射光は光検出器１１ｂにより受光され、当該光検出器１１ｂが当該反射光に対応する検出信号Ｓppを生成してサーボ信号生成回路１３へ出力する。
【００４４】
これにより、サーボ信号生成回路１３は、当該検出信号Ｓppの中から、光ビームＢにおける集光位置の、ＤＶＤ−ＲＷ４０上の情報トラックの位置からのずれ（当該情報トラックに対して垂直方向のずれ及び水平方向のずれを含む。）を示すエラー信号Ｓeを抽出し、サーボ信号処理回路１４に出力する。
【００４５】
そして、サーボ信号処理回路１４は、システムコントローラ１９との間で制御信号Ｓcsの授受を行いつつ、上記エラー信号Ｓeに基づいて、スピンドルモータ１０を回転制御するための上記スピンドル制御信号Ｓssを生成して当該スピンドルモータ１０へ出力すると共に、図示しない上記対物レンズを上記情報トラックに対して垂直な方向又は水平な方向に移動させることにより光ビームＢにおける集光位置の当該垂直な方向及び水平な方向の位置を制御するピックアップ１１内の図示しないアクチュエータを駆動するためのピックアップサーボ制御信号Ｓpcを生成して当該アクチュエータに出力する。
【００４６】
以上の動作により、いわゆるフォーカスサーボ制御及びトラッキングサーボ制御が実行されつつＤＶＤ−ＲＷ４０に記録情報が記録される。
【００４７】
次に、ＤＶＤ−ＲＷ４０に記録された記録情報を再生する際の動作について説明する。
【００４８】
当該記録情報再生時においては、スピンドルモータ１０は、情報記録時と同様に、スピンドル制御信号Ｓssに基づいてＤＶＤ−ＲＷ４０を予め設定されている回転数で回転させる。
【００４９】
このとき、光学系１１ｂは、回転するＤＶＤ−ＲＷ４０に対して記録情報再生用の一定強度の光ビームＢを照射する。そして、その光ビームＢの当該ＤＶＤ−ＲＷ４０からの反射光は光検出器１１ｂにより受光され、当該光検出器１１ｂがＤＶＤ−ＲＷ４０上の記録情報に対応する検出信号Ｓppを生成して反射全光量信号生成回路１２及びサーボ信号生成回路１３へ出力する。
【００５０】
これにより、サーボ信号生成回路１３は、情報記録時と同様にしてエラー信号Ｓeを抽出し、サーボ信号処理回路１４に出力する。
【００５１】
一方、反射全光量信号生成回路１２は、検出信号Ｓppに基づいてＤＶＤ−ＲＷ４０に記録されている記録情報に対応するＲＦ信号（より具体的には、例えば光検出器１１ｂが四分割光検出素子により構成されている場合には、その四つの光検出素子夫々からの出力信号を合成して得られるＲＦ信号）Ｓrfを生成し、二値化部１５及びサーボ信号処理回路１４へ出力する。
【００５２】
そして、サーボ信号処理回路１４は、システムコントローラ１９との間で制御信号Ｓcsの授受を行いつつ、当該ＲＦ信号Ｓrf及び上記エラー信号Ｓeに基づいて、情報記録時と同様にしてスピンドル制御信号Ｓssを生成して当該スピンドルモータ１０へ出力すると共に、ピックアップサーボ制御信号Ｓpcを生成して上記アクチュエータに出力する。
【００５３】
これと並行して、二値化部１５は、ＤＶＤ−ＲＷ４０上の記録領域を走査する光ビームＢの反射光に対応して生成される上記ＲＦ信号Ｓrfを二値化し、二値化信号Ｓbyを生成してＲＦデータデコーダ１８へ出力する。
【００５４】
このとき、図３に示すように、二値化部１５に入力されたＲＦ信号Ｓrfは、ゲインコントロール回路３５へ出力される。
【００５５】
そして、ゲインコントロール回路３５は、後述する減算信号Ｓsbに基づいて当該ＲＦ信号Ｓrfの振幅を一定化するように制御し、ゲインコントロール信号Ｓgcを生成してピークホールド回路３６、ボトムホールド回路３７及び二値化回路３９へ出力する。
【００５６】
次に、ピークホールド回路３６は、上記ゲインコントロール信号Ｓgcのピーク値（極大値）を検出し、当該ピーク値を示すピークホールド信号Ｓhbを生成して減算器３８の一方の入力端子に出力する。
【００５７】
これと並行して、ボトムホールド回路３７は、上記ゲインコントロール信号Ｓgcのボトム値（極小値）を検出し、当該ボトム値を示すボトムホールド信号Ｓbbを生成して減算器３８の他方の入力端子に出力する。
【００５８】
そして、減算器３８は、ピークホールド信号Ｓhbの値からボトムホールド信号Ｓbbの値を減算し、上記ＲＦ信号Ｓrfの振幅変動を示す上記減算信号Ｓsbを生成して上記ゲインコントロール回路３５へフィードバックする。
【００５９】
これらと並行して、二値化回路３９は、その振幅が一定化されたゲインコントロール信号Ｓgcを周知の二値化方法により二値化し、二値化信号Ｓbyを生成して上記ＲＦデータデコーダ１８へ出力する。
【００６０】
そして、ＲＦデータデコーダ１８は、上記記録領域を走査する光ビームＢの反射光に対応する上記二値化信号Ｓbyに対して当該記録情報に対して施されている暗号化処理に対応する復号処理（解読処理）を施して当該記録情報に対応する復号信号Ｓpdを生成し、データ入出力コントローラ２０を介し入出力信号Ｓioとして図示しない外部装置に出力する。
【００６１】
このとき、ＤＶＤ−ＲＷ４０に記録されていた記録情報が上記情報配信装置Ｐにより暗号化されて配信されたものである場合には、光ビームＢのＤＶＤ−ＲＷ４０からの反射光に基づいて光検出器１１ｂにより検出されて上記検出信号Ｓpp中に含まれている上記暗号化キーＫを用いてＲＦデータデコーダ１８における上記復号処理が実行される。
【００６２】
以上述べた各構成部材の動作と並行して、システムコントローラ１９は、上記制御信号Ｓci及び記録クロック信号Ｓclを生成しつつ当該各構成部材の動作を制御すると共に、上記制御信号Ｓcsをサーボ信号処理回路１４へ出力することにより上記フォーカスサーボ制御及びトラッキングサーボ制御等のサーボ制御動作を継続して行う。
【００６３】
以上説明したように、実施形態の不法複写防止システムの動作によれば、ＤＶＤ−ＲＷ４０に記録されている暗号化キーＫを用いて暗号化した記録情報を、当該記録情報の当該ＤＶＤ−ＲＷ４０への記録に用いられる情報記録再生装置Ｓに配信するので、当該配信途中の記録情報を取得して表示等しようとしても当該暗号化キーＫがない状態では当該表示等が不可能となり、配信途中で不法に取得された記録情報が不法に表示等されることを未然に防止できる。
【００６４】
また、記録情報の配信先において暗号化キーＫが記録されているＤＶＤ−ＲＷ４０に当該暗号化された記録情報を記録することで、予め記録されている暗号化キーＫを用いて情報の暗号化を解読して出力する形式の既存の情報再生装置全てにおいて上記暗号化された記録情報を解読して再生することが可能となる。
【００６５】
従って、暗号化キーＫを用いて暗号化した記録情報の著作権法上の安全な配信と再生処理における汎用性の向上とを共に実現することができる。
【００６６】
なお、当該既存の情報再生装置としては、ＤＶＤビデオ規格に準拠した再生専用のＤＶＤを再生する情報再生装置がそれに該当するので、上記ＤＶＤ−ＲＷ４０に記録された記録情報はＤＶＤビデオ規格に準拠した情報再生装置でも再生することができることとなる。
【００６７】
更に、情報記録媒体としてＤＶＤ−ＲＷ４０を用いるので、大容量の暗号化された記録情報を配信して記録することができる。
【００６８】
更にまた、当該配信がインターネット等の外部ネットワーク５を介して実行されるので、配信途中における情報の取得が容易な外部ネットワーク５を用いて記録情報を配信する場合においても、当該配信途中の記録情報が不法に取得されて表示等されることを未然に防止できる。
【００６９】
なお、上述した実施形態においては、情報記録媒体としてＤＶＤ−ＲＷ４０を用いた場合について説明したが、これ以外に、例えば上述したＤＶＤ−Ｒ又は記録可能なＣＤであるＣＤ−Ｒ（CD-Recordable）或いはＣＤ−ＲＷ（CD-ReWrightable）を暗号化キーＫが予め記録された情報記録媒体として用いる等の、再生専用の情報記録媒体と記録・再生が可能な情報記録媒体とを同じ不法複写防止方式で処理する情報記録再生システムに対して本発明を適用することも可能である。
【００７０】
更に、暗号化された記録情報を外部ネットワーク５を介して配信する場合だけでなく、いわゆるケーブルテレビジョン（ＣＡＴＶ（Cable Television））回線、衛星放送回線又は地上波ディジタル回線等を介して配信してＤＶＤ−ＲＷ４０等に記録する場合に本発明を適用することも可能である。
【図面の簡単な説明】
【００７１】
【図１】実施形態の情報配信装置の概要構成を示すブロック図である。
【図２】実施形態の情報記録再生装置の概要構成を示すブロック図である。
【図３】二値化部の構成を示すブロック図である。
【符号の説明】
【００７２】
１    データ生成器
２    暗号化器
３    暗号化キー設定部
４、１６    モデム
５    外部ネットワーク
１０    スピンドルモータ
１１    ピックアップ
１１ａ    光学系
１１ｂ    光検出器
１２    反射全光量信号生成回路
１３    サーボ信号生成回路
１４    サーボ信号処理回路
１５    二値化部
１８    ＲＦデータデコーダ
１９    システムコントローラ
２０    データ入出力コントローラ
２１    データエンコーダ
２２    レーザドライバ
３５    ゲインコントロール回路
３６    ピークホールド回路
３７    ボトムホールド回路
３８    減算器
３９    二値化回路
４０    ＤＶＤ−ＲＷ
Ｐ    情報配信装置
Ｓ    情報記録再生装置
Ｂ    光ビーム
Ｋ    暗号化キー
Ｓd    データ信号
Ｓsd    暗号化データ信号
Ｓk    キー信号
Ｓss    スピンドル制御信号
Ｓpp    検出信号
Ｓe    エラー信号
Ｓrf    ＲＦ信号
Ｓpc    ピックアップサーボ制御信号
Ｓby    二値化信号
Ｓpd    復号信号
Ｓio    入出力信号
Ｓci、Ｓcs    制御信号
Ｓr    記録データ
Ｓcl    記録クロック信号
Ｓen    符号化データ
Ｓld    駆動信号
Ｓhb    ピークホールド信号
Ｓbb    ボトムホールド信号
Ｓsb    減算信号
Ｓgc    ゲインコントロール信号
Ｓm    モデム信号
【図１】
2007235955.tif 000003
【図２】
2007235955.tif 000004
【図３】
2007235955.tif 000005